(57)【特許請求の範囲】
【請求項１】
押離鍵操作される鍵と、この鍵を支点部にて揺動自在に保持する支持部材と、該支持部材と固定関係に保持され鍵盤回路等を搭載した設置盤と、押された鍵もしくは押されるべき鍵の表示を促す鍵表示器を有する電子楽器の鍵盤装置において、
上記鍵表示器は、上記設置盤に載置され、押鍵時に長手軸方向に圧縮し得る弾性を有するスカート部と、該スカート部の上方に、ほぼ弾性変形しない透光材で形成した上方部を具備し、該上方部を上記鍵に固着するとともに、該上方部の下面に鍵表示用発光体を固着してなり、
上記鍵表示用発光体からの光を上記上方部から鍵表面に導出する手段を上記鍵に施してなることを特徴とする電子楽器の鍵盤装置。
【請求項２】
前記スカート部の内面に、上記鍵盤回路から上記鍵表示用発光体への電源供給路が施されていることを特徴とする請求項１に記載の電子楽器の鍵盤装置。
【請求項３】
上記鍵表示器は、複数の白鍵と複数の黒鍵のそれぞれに備えられ、
上記複数の白鍵と上記複数の黒鍵のそれぞれに備えられた鍵表示器のスカート部は、上記設置盤に載置される共通のベース部に連接されていることを特徴とする請求項１または２に記載の電子楽器の鍵盤装置。
【請求項４】
上記複数の白鍵と上記複数の黒鍵に対する鍵下限ストッパは、上記共通のベース部と一体的に形成されていることを特徴とする請求項３に記載の電子楽器の鍵盤装置。
【発明の詳細な説明】
【０００１】
【発明の属する技術分野】
本発明は、電子オルガン、ポータブル電子鍵盤楽器、電子ピアノ、音楽教室における立面ボード上、等に用いられる鍵盤装置に係わり、特に、練習時に鍵盤の鍵を発光させ得るようにした電子楽器の鍵盤装置に関する。
【０００２】
【従来の技術】
従来、電子オルガン等の押鍵表示装置としては、例えば特開昭５４−１２６０１５号公報に開示のものが知られている。この装置は、鍵盤周囲の枠部分に表示器を設け、この表示器を、各種記録装置からの信号に基づいて表示させ、演奏者（練習者）が、この表示器の表示にしたがって鍵を押すことにより、電子鍵盤楽器の練習を行うようにしたものである。
【０００３】
【発明が解決しようとする問題点】
しかしながら、この電子鍵盤楽器の鍵盤にあっては、表示される鍵の視認性が劣ると共に、押鍵状態を明確に把握することが難しく、かつ製品のコストがアップするという問題点があった。すなわち、表示器が鍵盤周囲の枠部分に設けられる場合は表示器が鍵の後方か前方に設けられることから、後方の場合は指で押鍵する部分と表示部が遠くなり、前方の場合は指あるいは手で表示器が隠れてしまい、演奏者が発光する鍵を確実に視認することが難しくなる。また、上記従来技術では、表示器を鍵に設けることも示唆されているが、具体例が開示されていない。
【０００４】
そこで、一般的に、鍵に表示器を取り付ける場合を考えてみよう。一般に、鍵は、フレーム等の支持部材に回動自在に固着されているので、鍵に表示器を固着すると、その電源供給のための配線が、煩雑になる。即ち、固着位置が、鍵の自由端に近ければ近いほど、表示器は、支持部材に対して、その可動範囲が大となり、その配線をフレキシブルにする必要がある。ところが、鍵は、何十万回もの押離鍵を繰り返す必要があるので、断線が起こり易い。また、鍵毎の表示器固着となるので、鍵復帰ばね、鍵ガイド、鍵スイッチ等の必要部品を避けての配線処理は、極めて困難となり、また煩雑な配線処理のため、鍵タッチ感も悪くなる。
このように表示器を鍵に設けるアイデアは、過去において願望に近い形で存在したが、製品レベルでは、採用を見合わせているのが現状である。
【０００５】
上記問題点である視認性を考慮した押鍵表示器が同一出願人によって、特開平８−８３０７３、特開平８−９５５６０として出願されている。この従来技術では、鍵を透明に構成して、フレームに固着した表示器の光を鍵下面から上方に向けて、発光させるようにしている。これによって、特開昭５４−１２６０１５よりは、その視認性が改善されたと言える。しかしながら、特開昭８−９５５６０等は、ＬＥＤ等の直接光を一旦鍵表面で受光してから目に入る間接光を視認する方式であるので、光は、鍵表面で散乱し、ＬＥＤ等の輝度を大にしなければ、視認性は劣る。また、鍵を透明にする必要があるが、そうすると、内部が見えて好ましくない。また、見えない程度に半透明にしたとすると、輝度を大にしなければ、ますます視認性が落ちる。輝度を大にすると、多くの電力を使用し、不経済である。
【０００６】
以上のような背景から、視認性を向上させた押鍵表示器付の電子楽器の鍵盤装置が望まれていた。
そこで、本発明では、視認性を向上させた押鍵表示器付の電子楽器の鍵盤装置を提供することと、その構成を簡単にしたことを目的としている。
【０００７】
【課題を解決するための手段】
上記した対応する目的を達成するために、本発明請求項１記載の電子機器の表示装置は、押離鍵操作される鍵と、この鍵を支点部にて揺動自在に保持する支持部材と、該支持部材と固定関係に保持され鍵盤回路等を搭載した設置盤と、押された鍵もしくは押されるべき鍵の表示を促す鍵表示器を有する電子楽器の鍵盤装置において、
上記鍵表示器は、上記設置盤に載置され、押鍵時に長手軸方向に圧縮し得る弾性を有するスカート部と、該スカート部の上方に、ほぼ弾性変形しない透光材で形成した上方部を具備し、該上方部を上記鍵に固着するとともに、該上方部の下面に鍵表示用発光体を固着してなり、
上記鍵表示用発光体からの光を上記上方部から鍵表面に導出する手段を上記鍵に施してなるようにしている。
【０００８】
本発明請求項１記載の電子楽器の鍵盤装置によれば、スカート部に弾性を持たせることで鍵表示器の高さを可変にしている。鍵表示用発光体からの光を上方部から鍵表面に導出させたので、押鍵表示に際して、演奏者は、鍵表面を見ればよい。
従って、押鍵すべき鍵そのものを見ることで、押鍵表示ガイドがなされる。
さらに鍵表示用発光体を上方部の下面に固着したので、押離鍵時のストローク長が変化しても発光体への供給電圧が同じなら、視認部の輝度は変化しない。
【０００９】
上記した対応する目的を達成するために、本発明請求項２記載の電子楽器の鍵盤装置は、請求項１に記載の電子楽器の鍵盤装置において、
前記スカート部の内面に、上記鍵盤回路から上記鍵表示用発光体への電源供給路が施されている。
【００１０】
上記した対応する目的を達成するために、本発明請求項３記載の電子楽器の鍵盤装置は、請求項１または２に記載の電子楽器の鍵盤装置において、
上記鍵表示器は、複数の白鍵と複数の黒鍵のそれぞれに備えられ、
上記複数の白鍵と上記複数の黒鍵のそれぞれに備えられた鍵表示器のスカート部は、上記設置盤に載置される共通のベース部に連接されている。
【００１１】
上記した対応する目的を達成するために、本発明請求項４記載の電子楽器の鍵盤装置は、請求項３に記載の電子楽器の鍵盤装置において、
上記複数の白鍵と上記複数の黒鍵に対する鍵下限ストッパは、上記共通のベース部と一体的に形成されている。
【００１２】
【発明の実施の形態】
以下に、本発明の実施形態の１つ（第１実施例）を図１〜図７を用いて説明する。
図１は、この発明の１つの実施形態を示した斜視図であって、表示器部分を取り除いて示されている。図２は、鍵を取り除いた他の部分を示した図１に対応する斜視図であって、表示器部分を中心に支持部材であるフレームに該表示器部分が載置された状態を示している。図３は、複数の鍵からなる鍵盤の表面図、図４は、白鍵の長手軸に沿った縦断面図、図５は、黒鍵の長手軸に沿った縦断面図である。図６は、鍵表示器の主要部を構成する導光体ユニット４を下面を上にして示した斜視図、図７は、導光体ユニット４が載置されて、発光体に電力を供給するための基板（設置盤）１００を示した平面図である。
【００１３】
図１に示すように、白鍵本体１１、１２、、、及び黒鍵本体２、、、を備えた鍵盤は、３ユニットからなる鍵集合体によって構成され、鍵共通基端部２ｂ、１ｗ１、１ｗ２同士を重ねて配設する事により、１オクターブの鍵からなる鍵盤ユニットが形成される。即ち、この鍵盤は、基端部２ｂを最上位に配設した１オクターブ内の全黒鍵を有する黒鍵ユニットＢＵと、基端部１ｗ１を中段に配設したＣ、Ｅ、Ｇ、Ｂからなる白鍵ユニットｗｕ１と、基端部１ｗ２を最下位に配設したＤ，Ｆ，Ａからなる白鍵ユニットｗｕ２とからなる。
【００１４】
従って、鍵本体１１はＢ鍵を、鍵本体１２はＡ鍵を、鍵本体２はＡ＃鍵の本体を、それぞれ表わしている。そして、鍵本体２、１１、１２と基端部２ｂ、１ｗ１、１ｗ２との間には、ヒンジ支点部を含む鍵接続部２１、２２、１２１（１２１はｗｕ２用）が設けられ、この接続部によって、鍵本体と基端部とが押離鍵方向に揺動自在に連結されている。この接続部は、接続部２１を代表して説明すると、鍵本体後部２５より幅広の幅広部からなり、基端部側の薄肉部で構成された支点部ｈｇと、ヨーイングしにくい厚肉部ｈｖとから構成されている。
鍵の自由端部には、鍵揺動のストッパを構成する鍵側壁ＳＤから下方に延設した２条のＬ型垂直部１１２が設けられ、その下方の上面にて鍵の上限ストッパＳＵを構成する。鍵本体上面Ｕの演奏部ＵＰよりやや支点側には、鍵表示器ｄｓｐ（正確には、後述する導光体頂部）が配設される。図１では、その実体が省略されているので、表示器配設用の透孔ｈ３が図示されている。
【００１５】
以上のようにしてなる鍵盤は、フレーム３前方の垂直部３２に設けられた孔３２１に鍵垂直部１１２のストッパ部ＳＳの先端を揺動自在に挿入してから、基端部を支持部材であるフレーム３の後方へ取り付け孔ｈ１からのネジ（図示せず）によって固着される。
そして、後に詳述する鍵表示器を透孔ｈ３の下方で、フレーム３の垂直部３２寄りの上面に配設し、鍵盤装置が形成される。
このようにしてなる鍵盤装置は、演奏者側の下段水平部３３に設けられたネジ孔ｈ３３からのネジ（図示せず）と、フレーム３の後方に設けられた取り付け孔ｈ３４からのネジ（図示せず）とにて、図示しない下ケース上面に固着されることになる。。
【００１６】
図２における導光体４１、４２、４３は、図６にあっては、４３０で表わす。なぜなら、先端部を除く導光体本体４３１からベース部４０にかけては、白鍵用導光体と黒鍵用導光体とがほぼ同様の構成をなしているので、まとめて同番号を付した。
白鍵用導光体と黒鍵用導光体との共通部分については次のようになっている。導光体４３０は、透明もしくは半透明の樹脂材からなる彎曲した円錐台状の本体４３１と、この本体４３１を支えるスカート状をなしたスカート部４３２と、本体４３１の先端ｔｐを含む頂部４３３とからなり、この頂部４３３と本体４３１とは、スロープで連設され、全体として図示のようにテーパー状を構成する。白鍵用は、全体としてＳ字状をなし、黒鍵用は、く字状を成す。そして、頂部４３３の先端ｔｐは、鍵に設けられた透孔ｈ３から鍵表面に露出して嵌め込まれる。スカート部４３２の裾から放射状に、ベース部４０が設けられ、該ベース部４０は、他の導光体のスカート部に連設される。
【００１７】
なお、ベース部４０の演奏者側（前方）には、鍵を押下した時の押鍵最下位時の下限ストッパ４０１が鍵並び方向に沿って、一様な断面形状にて、ベース部本体（ストッパ４０１を除くベース部）と一体的に形成されている。このストッパ４０１は、白黒鍵の自由端先端におけるストローク長を同一にするため、黒鍵の方を低く設定して一体的に設けるようにしてもよい。
【００１８】
図７に示すように、スカート部４３２の内側は中空になっており、その天面４３５は基板（設置盤／設置部材）１００と平行に構成され、天面４３５の中央にドーム型凹部４３５１が設けられ、この凹部４３５１に発光体としてのチップ状ＬＥＤ４１２が嵌合するように、チップ付き小基板４５０が導電性接着剤にて天面４３５へ固着される。上記小基板４５０は、図６（ｂ）に示すように、回路パターンＰ１，Ｐ２を施したポリエチレン等の樹脂のフレキシブルフィルムからなり、あらかじめ上記ＬＥＤチップを導電性接着剤にて一体的に形成しておく。
上記小基板４５０の天面４３５への固着は、天面４３５を下にして、例えば、自動挿入機によって、図６（ｂ）の点線部４５２、４５３に対応する基板凹部４３５２の所定ポイントに導電性接着剤を点下し、小基板４５０をアーム先端でチャックし、マーク突起４５１に対応する基板凹部４３５２の凹部４３５３をセンサで確認しつつ、小基板４５０を凹部４３５２に載置すればよい。この小基板４５０の天面４３５への取り付けは、勿論手作業によってもよいが、この場合も、マーク突起４５１を設けていることで、その作業効率が上がる。
【００１９】
導光体のスカート部４３２の側面は、薄肉部４３７を含む側壁４３６で構成され、主にこの側壁４３６が弾性を有している。そして、このスカート部４３２が有する弾性を利用して、押鍵時の鍵とフレームもしくは基板との距離差を吸収させている。さらに、上記弾性にて鍵復帰力を与えてもよい。図１、２の鍵盤装置では、バネ等を使用せずにスカート部４３２の弾性のみで、鍵復帰力を発生させている。
スカート部内面には、ベース部４０下面から内側面３６１を介して天面４３５まで、ＬＥＤ４１２への電源供給路である回路パターンＰ３、Ｐ４がペア状に施されており、このパターンの存在しないベース部の２点に基板１００への鉤部付き保持用突起４３９、４３９が設けられている。天面４３５の周囲部には、基板１００方向に突設した突起４３５６、４３５８が設けられているが、これは、図６（ａ）のようなスイッチを有しない表示器では不可抗力的な導光体沈み変位に対してＬＥＤ４１２及び小基板４５０を保護するためのストッパとなり、後述する図８のようなスイッチ付き表示器では、可動接点用突起として作用する。
【００２０】
基板１００には、図７に示すようにＬＥＤ４１２への電源供給路としての回路パターンが、ペアでスカート部４３２の下面に沿って円形状もしくは、円弧状あるいは馬蹄形に設けられている。ＬＥＤ４１２には、なるべく高輝度のものを使用したいので、それに伴って電流容量を大とするため、該パターンは、銅、銀等の金属パターンＰ６、Ｐ７の上にカーボンパターンＰ８、Ｐ９を施すようにしてなる。パターンＰ８、Ｐ９の各端部間には、上記保持用突起４３９が圧入嵌合される透孔１４、１４が設けられている。そして、この透孔１４を介して、突起４３９は、フレーム透孔３００を貫通して導光体及び基板１００を共に固着している。なお、Ｐ５は一般的な銅箔回路パターンである。
【００２１】
以上図６で説明した導光体は、スイッチを有しないものであった。このタイプのものは、図示しない別部材によるスイッチ装置が、鍵とフレームとの間に設けられ、このスイッチによって、押離鍵動作を検出する。
図２で示す鍵盤装置は、導光体にスイッチが、組み込まれたタイプのものであり、その構成を図８、図９に示し、次に詳述する。
【００２２】
図８は、基板１００に施された導電体（固定接点）のパターン平面であり、図９は、導光体を下側から見た平面図である。図８に示すように基板１００には、ＬＥＤ４１２への電源供給路として図７と同じ回路パターンＰ５が設けられるとともに、導光体４００のスカート下面に対応して図７のパターンＰ８、Ｐ９とほぼ同様（図８の方が対向間隔が広い）なパターンＰ８８とＰ９９とが設けられている。これらのパターンは、向き合って設けられ、その向き合い間に固定接点８１、８２のための電路パターン８３、８４が介在され固定接点８１、８２は、各々ペア状に図面上上下に配設されて、櫛歯状に形成され、互いに噛み合わされて配設されている。各固定接点ペアを接続するパターン８１ａ、８２ａは、導光体天面４３５にある導電部を避けるように配設されている。
さらに、基板１００には、適当な間隔で、鉤部付き導光体保持突起３９に対応した透孔９３が設けられている。
【００２３】
導光体４００については、スカート部の下面に当たる所に、図８に示した基板１００からの電路をリレーするパターン６１及び６２が、馬蹄形状に施されている。このパターンは、内面３６１を介して天面４３５まで施され、小基板４５０のパターンに結合される。各馬蹄形パターン６１、６２のあわせ部の間は、導電パターンが施されず、固定接点への通路として確保されている。可動接点６６、６７は、表示器のみの導光体の場合で説明したストッパとして作用する突起４３５６、４３５８の表面に設けられる。この可動接点６６、６７は、例えば、カーボンまたは銀の粉末を含んだ導電インクを図示の当該部分に塗布して乾燥して形成される。
【００２４】
以上のように構成した導光体は、スイッチなし／スイッチありのいずれの導光体を図１の鍵盤装置に用いるにせよ、図２のように配設され、その頂部４３３の先端ｔｐは、鍵表面に露出して配設される。図３は、その状態を示した鍵盤表面図、図４は、白鍵での導光体設置状態を表わす図３における４−４から見た断面図、図５は黒鍵のそれを表わす図３における５−５から見た断面図である。
【００２５】
図４、図５に示すように、導光体４１、４２は、鍵への配設時に、平面リブＬ１、Ｌ２、Ｌ３で支持される。該リブＬ１、Ｌ２は、鍵長手方向から見て、Ｕ字状に構成され、黒鍵のリブＬ３は、その先端部（下方側）前面がえぐられて形成され、そのえぐり部に導光体本体が接触するよう構成されている。
押鍵時の動作を図４において説明する。非押鍵状態では、フレーム下面前方に設けた上限ストッパＦＳＵにストッパ部ｓｓの上面（ストッパＳＵ）が当接しているが、押鍵され、下方に鍵が移動するにつれて、複数のリブＬ１〜Ｌ３によって、導光体本体４３１が下方に押される。導光体は、後述する他の実施例（図１０）の当該部分に代表して押鍵時の導光体変形態様が示されるように、そのスカート部４３２の弾性によって変形し、最押下位置近傍において下限ストッパ４０１（図１０では４０２）に鍵側壁ＳＤの下面が当接する。この時、発光体であるＬＥＤを導光体側に固着するようにしたので、導光体の全体長が変化しても、鍵上方から見たＬＥＤ輝度は、供給電圧または電流が同じなら、不変にすることができる。
【００２６】
しかも、図８、図９に示したスイッチ付き表示器では、スイッチングの際のスカート部の変形によってもＬＥＤ輝度が変化せず一定にすることができる。従ってスイッチ（導光体）の押し始め、途中、押し終わり、押し終わり後離し途中、押し終わり後完全離し後のいずれの状態から点灯／点滅表示をさせたとしても、輝度が一定のスイッチ付き表示器を実現できる。
接触型接点スイッチでは、少なくとも可動接点が固定接点に接触／非接触を検知してから電気回路もしくはソフト的な処理にてそれ以後任意の位置または時間で表示器をオン／オフ可能とすることができる。しかしながら、小基板４５０の下面（基板対向面）を白色塗装し、反射板として構成するとともに、基板の対応部にフォトリフレクタ構成の光スイッチを配設すれば、電気回路等の制御によって、任意の位置で表示器のオン／オフ制御が可能となる。故に上記の表現を使用した。
【００２７】
ところで、図２、図４、図５に示した導光体は、下限ストッパを極力自由端部に配設したいためと、各鍵における表示器ｄｓｐは、その配置を黒鍵前端面に白鍵のそれも揃えて配設したいため（図３参照）に導光体頂部４３３を導光体本体に対し、彎曲させて構成した。これによって、
１）鍵表示器が極めて視認し易くなった。
２）押鍵終了時のストップ感が良好になった。
しかしながら、導光体製造技術としては、彎曲部（頂部４３３）がアンダカットになり、スライドコアを使用した金型で製造するか、スライドコアを使用しない無理抜き製法にするかが考えられるが、前者は高価になり、後者は無理抜き時の不良率のアップを招く恐れがある。そこで、導光体頂部の形状を改善した他の実施例を図１０にもとづいて説明する。図１０は、黒鍵幅方向中央の鍵軸線に沿った縦断面図である。
【００２８】
この実施例の特徴は、導光体本体を可能な限り、黒鍵先端面（自由端部立面）２ｆに接近配置させ、導光体頂部４３３を本体４３１から略垂直上方に延設させた点にある。図１０では、白鍵Ｗ、黒鍵Ｂともに押鍵状態を示している。上記特徴を有するため、黒鍵Ｂの下限ストッパ４０２は、導光体のすぐ後方（鍵支点寄り）のベース部上に一体的に配設し、前述のストップ感を落とさないようにと、鍵下面とストッパ４０２の上面との接触面積が大きくなるように大きめの下限ストッパとした。前実施例では、鍵下限ストッパは、鍵長手方向につき白黒鍵同一位置に配設したが、この実施例では白鍵の下限ストッパ３３３を鍵の最前部（演奏者側）下面のフレーム上に設けた。その他の構造は、白鍵の導光体配置も黒鍵の配置に揃えてほぼ同様に配設される。
【００２９】
また、図１０の導光体のベース部下面には、前述と同様の保持突起９が一体的に設けられ、この突起９にて、該導光体は、基板１００とともに、基板の透孔（図示せず）フレーム透孔（図示せず）を介して、フレーム３に固着される。
そして、図示の押鍵状態にて、スカート部の変形部ｍが、無理なく変形しうるように黒鍵Ｂのみその先端下面Ｂ１が少し切りかかれて形成されている。
白鍵Ｗの表示器組み込み構造が、黒鍵のそれと異なる点は、白鍵の導光体４３０の頂部４３３が黒鍵のそれに対し少し短く形成した事である。頂部４３３の先端面は、黒鍵では、その先端面（傾斜面）２ｆに頂部端面Ｂｔｐとして露出させているが、白鍵では黒鍵のそれに並設される同様な位置に点線で示した位置に設けられる。この白鍵用導光体頂部の先端面Ｗｔｐは、黒鍵のそれと共に導光体本体の上方に配設されるので、導光体製造時における金型が、アンダーカットになることなく、アンダーカット回避型になり、ローコストタイプにすることができた。
【００３０】
なお、この発明の全実施例において、鍵の押離鍵方向の揺動をガイドするガイド部材が存在しない。ガイドなし構成の鍵盤で如何にして鍵ガイドするかと言うと、前述したように鍵の接続部が全体として鍵本体後部２５より幅広に構成されているので、鍵自由端部で鍵並び方向に力を加えてもフレームに固定された鍵共通基端部に対しほとんどヨーイング（鍵並び方向の変位）しない、と言うメカニズムを有している。鍵ガイドを不要にした構成であるので、黒鍵先端部近傍の一番込み入った鍵必要部品密集部に鍵表示器を配設することができ、これに並設する形で白鍵にもその長手方向の同一位置に鍵表示器を配設することができる。
【００３１】
また、今までに説明した全実施例において、押鍵表示のための発光体からの光を鍵外側に導くための導光体と、鍵下限ストッパとをゴム状の軟質樹脂にて一体的に形成したが、図１１に示すように、鍵上限ストッパＵＳを該導光体ＣＯにさらに一体に形成してもよい。この場合、鍵のストッパ片Ｌ１、Ｌ２は、垂直部１１２下方から水平に張設し、このストッパ片の上部を互いに連設してストッパ部ＳＴとする。固定側の上限ストッパは、導光体ＣＯのベース部Ｂから下方に突設した鉤部ＵＳを基板及びフレームの貫通孔を介してフレームの下面に突設させて形成する。従って、鍵は、ストッパ片Ｌ１、Ｌ２がフレーム垂直部３２のストッパ孔ｆｏを嵌挿した状態で、揺動し、鍵の非押鍵位置では、ストッパ部ＳＴの中央部（点線にて示す）が該鉤部ＵＳに当接する。そして、鍵の押下位置では、鍵の下限ストッパ部ＳＤＵ（図１参照）が、固定側の下限ストッパ４０１に当接して鍵をストップさせる。この実施例でも、導光体ＣＯと基板とに前実施例と同様スイッチ部を形成してもよい。
図１１による実施例では、鍵盤装置における多数の必要部品を集積することができたので、鍵盤装置を組立容易かつ安価に製作できる。
【００３２】
さらにまた、図１〜５及び図１０の実施例においては、鍵への導光体組み込み構造として、導光体先端部を鍵表面に露出させて形成するようにした。これによって視認効果がかなり改善された反面、鍵表面に導光体先端部露出用透孔を設けなくてはならず、表示器無しの鍵金型とは異なる鍵金型が必要になる。そこで、図１２の縦断面図で示すように、鍵の表示部のみを極薄形成して、表示器無し鍵と、表示器有り鍵とを共用するようにした。その構成を次に説明する。
【００３３】
鍵（白鍵）ｗの表面ＵＰに設けた導光体頂部４３３の設置用孔ｈ３３を不透孔とし、この孔ｈ３３に頂部４３３を嵌入させる。孔ｈ３３の周囲には、小リブ環Ｆ１が設けられる。導光体先端部ｔｐと鍵表面対応部ｗｔｐとの距離ＤＳは、
０．１〜０．５ｍｍ程度の極薄厚みとする。
このような鍵構造にすれば、同一金型にて表示器無し鍵と表示器有り鍵とを同一金型で通常鍵構造における不透明樹脂を用いて形成することができる。即ち不透明樹脂であっても、薄肉部では、半透明になり得る事を利用する。
表示器無し鍵では、鍵をそのままフレームへ配設されるが、透孔が存在しないので、違和感がない。表示器有り鍵では、導光体を含む表示器を鍵に付設してフレームに配設される。表示器付鍵では、上記距離ＤＳを極めて小さく設定しているので、当該部分が半透明状態となり、鍵表示機能を果たすことができる。上記距離は、樹脂選定により、大きくする事もできる。
【００３４】
なお、この発明の実施形態では、導光体にスカート部を設け、これに弾性を持たせている。これによって、鍵復帰手段を兼用する事ができる。しかし鍵復帰手段を鍵とフレームとの間の板バネ等にて別途設ける場合は、スカート部の弾性を弱く設定してもよい。いずれにせよ、スカート部の弾性を有したことにより、１ストロークにおける鍵移動距離が異なる複数機種（例えば、大きな長い健を有する鍵盤と、短い小さい鍵を有する鍵盤）に同一の導光体及び／又は鍵スイッチを配設する事ができる。鍵移動距離が小さい鍵にあっては、導光体にプリコンプレッションを与えつつ鍵とフレームとの間に配設する。
また、この発明の実施例では、発光体は、導光体本体の下面（スカート部の上面）に固着するように設けたが、導光体を設置する基板（設置盤）上面に設けてもよい。
【００３５】
【発明の効果】
この発明によれば、電子楽器の鍵盤装置の演奏ガイド、音楽教室等における鍵表示、自動演奏機能付きの鍵盤装置における鍵の演奏指示などの鍵表示において表示による視認効果の向上が期待できる。
【図面の簡単な説明】
【図１】この発明の一実施形態を示した導光体を除いた鍵盤装置の斜視図である。
【図２】鍵を取り除いた他の部分を示した図１に対応する鍵盤装置の斜視図である。
【図３】この発明の一実施形態における複数の鍵からなる鍵盤の表面図である。
【図４】この発明の一実施形態における白鍵の長手軸に沿った縦断面図である。
【図５】この発明の一実施形態における黒鍵の長手軸に沿った縦断面図である。
【図６】この発明の一実施形態における鍵表示器の主要部を構成する導光体ユニット４を下面を上にして示した斜視図である。
【図７】この発明に係る導光体ユニットを載置し、発光体に電力を供給するための基板（設置盤）を示した平面図である。
【図８】この発明の一実施形態を表わした他の導光体用基板（設置盤）の平面図である。
【図９】この発明の一実施形態を表わした他の導光体の裏面図である。
【図１０】この発明の他の実施形態を示した鍵盤装置の縦断面図である。
【図１１】この発明のさらに他の実施形態を示した鍵盤装置の要部斜視図である。
【図１２】この発明のさらにさらに他の実施形態を示した鍵盤装置の縦断面図である。
【符号の説明】
１１、１２、１３、Ｗ…白鍵（白鍵本体）、  ２、Ｂ…黒鍵（黒鍵本体）、
ｄｓｐ…鍵表示器、  ｈｇ…鍵の支点部、  ３…支持部材（フレーム）
１００…設置盤（基板）、４１２…発光体（ＬＥＤ）、４…導光体ユニット、
４１、４２、４３、４３０…導光体（鍵操作センシング部材）、
４３１…導光体本体、  ４３２…スカート部（鍵復帰手段）、
４３３…導光体頂部、  ２ｆ…黒鍵自由端立面（先端面）
【図１】
0003718974.tif 000002
【図２】
0003718974.tif 000003
【図３】
0003718974.tif 000004
【図４】
0003718974.tif 000005
【図５】
0003718974.tif 000006
【図６】
0003718974.tif 000007
【図７】
0003718974.tif 000008
【図８】
0003718974.tif 000009
【図９】
0003718974.tif 000010
【図１０】
0003718974.tif 000011
【図１１】
0003718974.tif 000012
【図１２】
0003718974.tif 000013